(57)【要約】      （修正有）【課題】パーツの評価に必要な写真を効率良く撮れる、パーツ評価のための装置と方法を提供すること。【解決手段】パーツ評価装置１０は、カメラ１４、評価されるパーツ１２に対してカメラを所定の位置に保持するカメラ保持部材１６、及びカメラ保持部材に対して固定位置に設けられる指標表面１８を含むことができる。カメラは、指標表面とパーツ両方の写真を同時に撮影できるように配置され、よって写真を用いて指標表面の画像とパーツの画像とを比較することによりパーツを評価することができる。【選択図】図３
2010133955.tif 000002
【特許請求の範囲】
【請求項１】
カメラと、
評価対象のパーツに対して所定の位置にカメラを保持するためのカメラ保持部材と、
カメラ保持部材に対して固定位置に設けられた指標表面と
を備えるパーツ評価装置であって、写真を用いて指標表面の画像とパーツの画像とを比較することによりパーツの評価を行うために、カメラが、指標表面とパーツ両方の写真を同時に撮影するように配置される装置。
【請求項２】
カメラ保持部材が管を備え、カメラが管の中に設置される、請求項１に記載の装置。
【請求項３】
更に、カメラ保持部材に対して固定の位置にあるパーツ位置合わせ表面を備え、この表面をパーツに対して位置合わせすることによりパーツが写真撮影用に配置される、請求項１に記載の装置。
【請求項４】
更にコンピュータを備え、カメラがコンピュータと通信することにより、パーツを評価するために写真がコンピュータに送信される、請求項１に記載の装置。
【請求項５】
指標表面が、測定デバイス及びスケールの少なくとも一方を含む、請求項１に記載の装置。
【請求項６】
カメラ、カメラを保持するカメラ保持部材、及びカメラ保持部材に対して固定位置に設けられた指標表面を備えた装置を供給するステップと、
パーツに接触させて及び／又はパーツの近くに、指標表面を配置するステップと、
カメラを用いてパーツ画像及び指標表面の画像の両方を含む写真を撮影するステップと、
パーツ画像と指標表面の画像とを比較することにより写真を評価するステップと
を含むパーツ評価方法。
【請求項７】
供給される装置が更に、カメラ保持部材に対して固定の位置に設置されるパーツ位置合わせ表面を備え、且つ写真撮影用パーツを配置するために、パーツに対してパーツ位置合わせ表面を位置合わせするステップを更に含む、請求項６に記載の方法。
【発明の詳細な説明】
【背景技術】
【０００１】
パーツの評価が必要になる場合がある。例えば、複合パーツ、金属パーツ、及び／又はその他の種類のパーツの端部を分析することにより、測定値、データ、及び／又はパーツに関するその他の情報を決定する必要が生じうる。従来技術による一の方法では、作業員が片手にスケールを、他方の手にカメラを持って、後で写真画像に基づくパーツの分析を行うために、パーツとスケールの写真を撮らなければならない。しかしながら、この方法では、安定化のための手が空かず、またスケールが別個に保持されるために、測定されるパーツに対して不正確な位置に配置される場合がある。更に、スケールが異なる場合があるので、測定の単位が混乱して分析ミスが起こりうる。このプロセスの間に、回収不能な場所にスケールを落とす事故が起こる可能性があり、このような場合、パーツを含む装置に破損が生じうる。写真を撮るとき、カメラが動いて写真がブレないように、カメラをパーツで支える場合がある。しかしながら、パーツからカメラまでの距離に基づいてカメラの倍率を設定されるので、パーツでカメラを支えると高い倍率が必要である。高い倍率により、少しずつ位置を変えてパーツとスケールの写真を複数枚撮らなければならず、その後写真をつなぎ合わせなければならない。他の従来技術による方法及び／又は装置は、一又は複数の異なる問題を含みうる。
【発明の概要】
【発明が解決しようとする課題】
【０００２】
パーツ評価のための装置及び／又は方法は、一又は複数の既存の装置及び／又は方法に関連する一又は複数の問題を低減する必要がある。
【課題を解決するための手段】
【０００３】
一実施形態では、パーツ評価装置が提供される。この装置は、カメラ、評価されるパーツに対してカメラを所定の位置に保持するカメラ保持部材、及びカメラ保持部材に対して固定位置に設置された指標表面を含むことができる。カメラは、写真を用いて指標表面の画像とパーツの画像を比較することによるパーツの評価を行うために、指標表面とパーツ両方の写真を同時に撮れるように配置することができる。
【０００４】
別の実施形態では、パーツ評価方法が開示される。一のステップにおいて、カメラ、カメラを保持するカメラ保持部材、及びカメラ保持部材に対して固定位置に設置される指標表面を備えた装置を供給する。別のステップでは、指標表面を、パーツに接触させて及び／又はパーツの近傍に配置することができる。また別のステップでは、カメラを用いて、パーツ画像と指標表面の画像両方を含む写真を撮ることができる。別のステップでは、パーツ画像と指標表面画像とを比較することによりパーツを評価することができる。
【０００５】
本発明の上記及びその他の特徴、態様及び利点は、添付図面、後述の説明、及び請求の範囲から更に明らかとなる。
【図面の簡単な説明】
【０００６】
【図１】パーツ評価装置の一実施形態の側面図である。
【図２】図１の装置の上面図である。
【図３】図１の装置の線３−３における断面図である。
【図４】パーツ評価方法の一実施形態のフローチャートである。
【発明を実施するための形態】
【０００７】
以下の詳細な説明は、本発明を実行するための現在考慮されるベストモードである。本発明の範囲は請求の範囲に最も正しく規定されるので、以下の説明は限定的な意味を持たず、本発明の一般的理念を説明することをのみを目的としている。
【０００８】
図１は、パーツ１２を評価するための装置１０の一実施形態の側面図である。図２は、図１の装置１０の上面図である。図３は、線３−３における図１の装置の断面図である。装置１０は、カメラ１４、カメラ保持部材１６、指標表面１８、固定部材２０、パーツ位置合わせ表面２２及びコンピュータ２４を備えることができる。評価されるパーツ１２は、複合材料、高性能複合材料、金属結合パーツ、炭素−炭素パーツ、セラミック基質複合パーツ、金属パーツ、金属材料と複合材料のハイブリッドパーツ、或いは、航空機又は他の種類の非航空機構造において表面及び／又は端部の評価が必要なその他の種類のパーツを含むことができる。パーツ１２の表面２６は、装置１０を用いて評価することができる。評価される表面２６は、パーツ１２の端部２９を含むことができる。他の実施形態では、装置１０を用いてパーツ１２の様々な表面を評価することができる。
【０００９】
カメラ１４は、デジタルカメラ、赤外線カメラ、紫外線カメラ、ボアスコープカメラ、素粒子検出カメラ、コンプトン後方散乱γ線撮像カメラ、及び／又はその他の種類のカメラを含むことができる。カメラ保持部材１６は、評価されるパーツ１２に対してカメラ１４を所定の位置に保持するために使用することができる。カメラ保持部材１６は、開口した管２８を含むことができ、カメラ１４は管２８の中でスライド可能に設置することができる。他の実施形態では、種類、大きさ、形状、配置、及び／又は方向の異なるカメラ保持部材１６を用いてよく、カメラ保持部材１６に対してカメラ１４を様々な位置及び／又は配置に置くことができる。カメラ保持部材１６はスロット３０を含むことができ、このスロットによって、カメラ保持部材１６内部に設置されたカメラ１４に対して管２８を締め付けることができる。
【００１０】
カメラ保持部材１６は、カメラ１４の焦点を合わせるために、カメラ１４の焦点調節３４にアクセスするための開口３２を有することができる。固定部材２０は、カメラ保持部材１６に対してカメラ１４を所定の位置に固定するために、カメラ保持部材１６に可動に取り付けることができる。固定部材２０は、旋回可能に設置されたクランプ３６を含むことができ、このクランプは、管２８の上に配置されると、管２８のスロット３０のエッジ３０Ａ及び３０Ｂを互いに対して圧縮することができ、これによりカメラ１４に対して管２８がしっかりと保持される。他の実施形態では、固定部材２０の構造及び機能が異なりうる。カメラ１４は、固定部材２０を緩め、カメラ保持部材１６の中からカメラ１４をスライドさせることにより、カメラ保持部材１６から取り外すことができる。
【００１１】
パーツ位置合わせ表面２２は、カメラ保持部材１６に対して固定位置に設置することができる。パーツ位置合わせ表面２２は、カメラ保持部材１６に取り付けられた管４０の一部３８を含むことができる。パーツ位置合わせ表面２２は、カメラ保持部材１６の外表面４２にほぼ垂直に設置することができる。パーツ位置合わせ表面２２は、カメラ１４に対してパーツ１２を良好な写真撮影位置に配置するために、パーツ１２に対して位置合わせすることができる。他の実施形態では、種類、形状、大きさ、方向、及び／又は配置の異なるパーツ位置合わせ表面２２を用いることができる。また別の実施形態では、パーツ位置合わせ表面２２は、パーツ１２の近くに、及び／又はパーツ１２に対して様々な配置に、位置合わせすることができる。パーツ位置合わせ表面２２、カメラ保持部材１６、及び／又は装置１０は、クランプ、バネ、ピン、及び／又は他の種類の取り付け部材３１を用いてパーツ１２に取り付けることができる。全地球測位システム（ＧＰＳ）チップ３３を、パーツ位置合わせ表面２２、カメラ保持部材１６、及び／又は装置１０の別の部分に設置することができる。ＧＰＳチップ３３は、パーツ１２に関する位置及び／又はマップを提供するために、コンピュータ２４に情報を送信することができる。
【００１２】
指標表面１８は、カメラ１４の視野４６内のカメラ保持部材１６に対して固定位置４４に設けることができる。指標表面１８は、カメラ保持部材１６及び／又はパーツ位置合わせ表面２２に取り付けることができる。指標表面１８は、スケール、定規、又はその他の測定デバイスなどの測定デバイスを含むことができる。カメラ１４は、指標表面１８とパーツ１２両方の写真４８を同時に撮れる位置に配置することができ、よって写真４８を用いてパーツ１２を評価することができる。
【００１３】
カメラ１４はコンピュータ２４と通信して写真４８をコンピュータ２４にデジタル送信することができ、よってコンピュータ２４による写真４８の評価が可能となる。この評価は、写真４８内の指標表面の画像５０と、写真４８内のパーツ画像５２とを比較することにより行われる。このようにして、パーツ１２内のプライ５４の量、パーツ１２のシワ５６に関連するデータ、パーツ画像５２と指標表面画像５０との比較によるパーツ１２の測定値５８、欠陥情報、エッジ２９情報、表面情報、及びパーツ１２に関するその他の種類の情報といった、パーツ１２に関する情報が決定される。
【００１４】
図４は、パーツ１２を評価するための、本発明による方法１６０の一実施形態のフローチャートである。評価されるパーツ１２は、複合材料、高性能複合材料、金属結合パーツ、炭素−炭素パーツ、セラミック基質複合パーツ、金属パーツ金属材料と複合材料のハイブリッドパーツ、或いは、航空機又は他の種類の非航空機構造において表面及び／又は端部の評価が必要なその他の種類のパーツを含むことができる。パーツ１２の表面２６の評価をすることができる。表面２６は、パーツ１２の端部２９を含むことができる。他の実施形態では、パーツ１２の様々な表面を評価することができる。また別の実施形態では、パーツ１２は様々な種類のパーツを含むことができる。
【００１５】
ステップ１６２では、装置１０が供給される。装置１０は、カメラ１４、カメラ保持部材１６、指標表面１８、固定部材２０、パーツ位置合わせ表面２２、及びコンピュータ２４を含むことができる。カメラ１４は、デジタルカメラを含むことができ、焦点調節３４を有することができる。他の実施形態では、カメラ１４は、様々な種類のカメラを含むことができる。カメラ保持部材１６は、開口した管２８、スロット３０、及び開口３２を含むことができる。他の実施形態では、様々な種類、大きさ、形状、配置、及び／又は方向のカメラ保持部材１６を用いることができる。指標表面１８は、カメラ保持部材１６に対して固定位置４４に設置することができる。指標表面１８は、カメラ保持部材１６及び／又はパーツ位置合わせ表面２２に取り付けることができる。指標表面１８は、スケール、定規、又はその他の種類の測定デバイスなどの測定デバイスを備えることができる。他の実施形態では、指標表面１８は、様々な種類の指標デバイスを備えることができる。固定部材２０は、旋回可能に設置されたクランプ３６を備えることができる。他の実施形態では、固定部材２０の構造及び機能は異なる。パーツ位置合わせ表面２２は、カメラ保持部材１６に対して固定位置に設置することができる。パーツ位置合わせ表面２２は、カメラ保持部材１６に取り付けられた管４０の一部３８を含むことができる。パーツ位置合わせ表面２２は、カメラ保持部材１６の外表面４２に対してほぼ垂直に設けられる。他の実施形態では、様々な種類、形状、大きさ、方向、及び／又は配置のパーツ位置合わせ表面２２を用いることができる。
【００１６】
ステップ１６４では、カメラ１４をカメラ保持部材１６の中にスライドさせて挿入する。カメラ１４は、指標表面１８の方に向くように、カメラ保持部材１６内に挿入することができる。カメラ１４の倍率は、カメラ保持部材１６内でのカメラ１４の位置を調節することにより調整できる。ステップ１６６では、カメラ１４に対してカメラ保持部材１６を締め付けて固定することができる。これは、カメラ保持部材１６上で固定部材２０を回して管２８のスロット３０のエッジ３０Ａと３０Ｂを互いに対して圧迫することにより、カメラ１４に対して管２８をきつく保持することで行われる。エッジ３０Ａと３０Ｂの間の距離は、過剰な力によりカメラ１４を破損することなくカメラ１４を固定するのに必要な力に基づいて最適化することができる。
【００１７】
ステップ１６８では、指標表面１８を、パーツ１２の近く及び／又はパーツ１２に接触させて配置することにより、写真４８を撮影するための良好な位置にパーツ１２を配置することができる。これは、パーツ１２に対してパーツ位置合わせ表面２２を位置合わせすることにより行われる。ステップ１７０では、開口３２を介してカメラ１４の焦点調節３４を調節することにより、カメラ１４の焦点をパーツ１２と指標表面１８に合わせることができる。ステップ１７２では、カメラ１４を用いて、パーツ画像５２とパーツ１２の指標表面の画像５０の両方を含む写真４８を撮影することができる。ステップ１７４では、カメラ１４はコンピュータ２４に写真４８を送信することができる。ステップ１７６では、パーツ画像５２と指標表面の画像５０とを比較することにより、コンピュータ２４を用いて写真４８を評価することができる。この評価ステップでは、パーツ１２のプライ５４の数、パーツ１２に関するシワ５６のデータ、パーツ１２の測定値、欠陥情報、端部２９情報、表面情報、及びパーツ１２に関する他の種類の情報のうちの少なくとも一つを決定することができる。
【００１８】
本発明の一又は複数の実施形態は、一又は複数の既存のパーツ評価装置及び／又は使用方法の一又は複数の問題を軽減及び／又は排除することができる。例えば、本発明の一又は複数の実施形態は、カメラ１４を、パーツ１２に対して安定した固定位置に位置合わせしてから保持するための、調節可能なカメラ保持部材１６を提供することができる。カメラ保持部材１６及びカメラ１４の両方に対する安定した固定位置に指標表面１８を設けることにより、パーツ１２を評価するための、パーツ１２及び指標表面１８両方の写真を撮ることができる。カメラ保持部材１６は、カメラ１４の焦点３４を容易に調節することができる。このようにして、パーツ１２の評価の効率を改善し、コストを下げ、精度を上げ、及び／又は分析されるパーツが破損する可能性を低減することができる。
【００１９】
当然であるが、上述の説明は本発明の実施形態に関するものであり、請求の範囲に規定される本発明の精神及び範囲から逸脱せずに変更を加えることが可能である。
【符号の説明】
【００２０】
１０    パーツ評価装置
１２    パーツ
１４    カメラ
１６    カメラ保持部材
１８    指標表面
２０    固定部材
２２    パーツ位置合わせ表面
２４    コンピュータ
２６    パーツの表面
２８    管
３０    スロット
３２    開口
３３    ＧＰＳチップ
３４    焦点調節
３６    クランプ
３８    管の一部
４０    管
４２    カメラ保持部材の外表面
４６    カメラの視野
４８    写真
５０    パーツ指標表面の画像
５２、５４、５６    パーツに関する情報
【図１】
2010133955.tif 000003
【図２】
2010133955.tif 000004
【図３】
2010133955.tif 000005
【図４】
2010133955.tif 000006
【外国語明細書】
2010133955000001.pdf
2010133955000002.pdf
2010133955000003.pdf
2010133955000004.pdf